(57)【特許請求の範囲】
【請求項１】
枠とアングルとアングル補助材とを備え、アングル補助材は、枠の室内側に配置してあり、アングルは、アングル補助材の内周側端部に枠内外周方向の位置を調整自在に取付けてあり、アングル補助材は、外周側にアングルの室内側縁部よりも室内側に延出する延出部を有し、延出部を躯体に固定してあることを特徴とする建具。
【発明の詳細な説明】
【技術分野】
【０００１】
本発明は、枠にアングルの付いた建具に関する。
【背景技術】
【０００２】
樹脂サッシ等のサッシにおいては、膳板や床板を美しく納めるために、下枠の室内側に別体のアングルを取付けることがある（例えば、特許文献１参照。）。このサッシは、サッシ枠を躯体開口部に固定した後、下枠の室内側にスペーサ１３を配置し、スペーサ１３を床パネル１０に上方からネジ止めし、スペーサ１３上面の固定部２８に係止してアングル（被覆部材２９）を取付けている。このような構造であると、アングルを建築現場に搬入する前に枠に予め取付けておくことができないため、施工性が良くなかった。
【先行技術文献】
【特許文献】
【０００３】
【特許文献１】特開平１０−２０５２２２号公報
【発明の概要】
【発明が解決しようとする課題】
【０００４】
本発明は以上に述べた実情に鑑み、施工性の良好な建具の提供を目的とする。
【課題を解決するための手段】
【０００５】
上記の課題を達成するために請求項１記載の発明による建具は、枠とアングルとアングル補助材とを備え、アングル補助材は、枠の室内側に配置してあり、アングルは、アングル補助材の内周側端部に枠内外周方向の位置を調整自在に取付けてあり、アングル補助材は、外周側にアングルの室内側縁部よりも室内側に延出する延出部を有し、延出部を躯体に固定してあることを特徴とする。
【発明の効果】
【０００６】
請求項１記載の発明による建具は、枠の室内側にアングル補助材を配置し、アングル補助材の内周側端部にアングルを取付けることで、アングル補助材及びアングルを建築現場に搬入する前に枠に予め取付けておくことができ、しかもアングル補助材は、外周側にアングルの室内側縁部よりも室内側に延出する延出部を有し、延出部を躯体に固定することで、アングルが取付いた状態でアングル補助材を躯体に固定できるので、施工性が良い。さらに本発明の建具は、アングルの取付位置を枠内外周方向に調整自在であるため、形材の伸縮等による枠の開口寸法の僅かな変化を許容して、額縁やフロアとの段差を生じさせずにアングルを取付けでき、施工性がより一層向上する。
【図面の簡単な説明】
【０００７】
【図１】下枠のアングルの周辺を拡大して示す縦断面図である。
【図２】本発明の建具の第１実施形態を示す縦断面図である。
【図３】第１実施形態の建具の横断面図である。
【図４】アングルの取付位置を内外周方向に調節する状態を示す縦断面図である。
【図５】枠を躯体開口部に取付ける際の手順を示す縦断面図である。
【図６】本発明の建具の第２実施形態を示す縦断面図である。
【図７】第２実施形態の建具の横断面図である。
【図８】本発明の建具の第３実施形態を示す縦断面図である。
【図９】本発明の建具の第４実施形態を示す縦断面図である。
【図１０】第２〜３実施形態におけるアングル補助材及びアングルを対比して示す縦断面図である。
【発明を実施するための形態】
【０００８】
以下、本発明の実施の形態を図面に基づいて説明する。図１〜３は、本発明の建具の第１実施形態を示している。この建具は、図２，３に示すように、躯体開口部に取付けられる枠１と、枠１内に開閉自在に設けた障子６と、障子６の室内側に設けたロール式の網戸７とを備える。本建具は、枠１と障子６の框が樹脂製のいわゆる樹脂サッシであり、窓種としては縦すべり出し窓となっている。
【０００９】
枠１は、図２，３に示すように、樹脂の押出形材よりなる上枠８と下枠９と左右の縦枠１０，１０を枠組みして構成してある。上枠８と下枠９と縦枠１０は断面形状が同一であり、それぞれ両端部を斜めに切断して互いに突き合わせ、融着により連結してある。枠１は、見込み方向の中間部に躯体固定片１１を外周側に張り出して設けてあり、躯体固定片１１を躯体５の室外側面に当接してネジ１２で固定してある。また枠１は、室内側面の外周側端部に室内側に向けて延出する室内延出部１３を有し、室内側延出部１３は躯体開口部内周側面に当接している。
【００１０】
障子６は、図２，３に示すように、樹脂の押出形材よりなる上框１４と下框１５と左右の縦框１６，１６を框組みし、その内側にガラス（複層ガラス）１７を取付けて構成してある。各框１４，１５，１６は断面形状が同一であり、それぞれ両端部を斜めに切断して互いに突き合わせ、融着により連結してある。
障子６は、図２に示すように、上枠８と上框１４間及び下枠９と下框１５間に設けたフリクションステー１８，１８により枠１と連結され、室外側にすべり出しつつ縦軸回りに約９０°回動して開くようになっている。枠１と障子６間の隙間は、タイト材１９ａ，１９ｂにより塞いである。図３に示すように、戸先側の縦框１６には、障子６を開閉操作するためのハンドル２０と、ハンドル２０の操作に連動して障子６を施錠・解錠する錠２１を備えている。
【００１１】
図２，３に示すように、上枠８と下枠９と縦枠１０，１０の室内側面にはアングル補助材３ａがそれぞれ配置してあり、アングル補助材３ａを介して額縁２２の見切り材となるアングル２を取付けてある。
アングル補助材３ａは、アルミニウム合金の押出形材で形成したものであり、図１に示すように、枠１の室内側面に沿う枠取付部２３と、枠取付部２３の内周側に位置するアングル支持部２４と、枠１の室内延出部１３をカバーするカバー部２５と、カバー部２５の室内側端部より室内側に延出する延出部４を有している。枠取付部２３は、枠１の室内側面に両面テープ２６で接着してある。カバー部２５は、室外側端部に枠１の室内延出部１３の根元部を押さえ込む押さえ部２７を有し、それより室内側は室内延出部１３に当接しないように室内延出部１３から逃がしてある。延出部４は、アングル２の室内側縁部２ａより室内側まで延出しており、室内側に向かうにつれて外周側に傾斜しており、躯体５に内周側からネジ２８で固定してある。アングル支持部２４は、横壁２９と縦壁３０とで略Ｌ字形断面に形成され、枠１の室内側面との間でアングル２を差し込んで保持するための溝４１を形成している。縦壁３０の室外側面には、中間部に係止突起３１を有し、係止突起３１よりも内周側にギザギザ３２ａが設けてある。
【００１２】
アングル２は、樹脂の押出形材で形成したものであり、図１に示すように、額縁２２の室外側縁部の内周側に重なる重なり部３３と、重なり部３３の室外側端部より外周側に突出し、枠１の室内側面とアングル補助材３ａのアングル支持部２４間の溝４１に差し込まれる差込部３４とを有している。重なり部３３は、額縁２２に当接させてネジ３５で固定してある。差込部３４は、先端部にテーパー部３６を有し、その外周側にアングル補助材３ａの係止突起３１が係止する係止溝３７を有し、さらにその外周側にアングル補助材３ａのギザギザ３２ａと噛み合うようにギザギザ３２ｂが設けてある。係止溝３７は、係止突起３１の内外周方向の寸法に対して幅広に形成してある。
アングル２は、差込部３４を枠１の室内側面とアングル補助材３ａのアングル支持部２４間の溝４１にスムーズに差し込むことができ、差し込むとアングル補助材３ａの係止突起３１がアングル２の係止溝３７に弾発的に係止して抜け止めされ、且つアングル支持部２４の縦壁３０によりアングル２を枠１の室内側面に押し付けた状態で保持される。
【００１３】
額縁２２の内周側面の位置は、部材の加工誤差や施工誤差等により内外周方向に１〜２ｍｍ程度変化することがあるが、本建具はアングル２の取付位置を内外周方向に調整し、そのような誤差を吸収できるようになっている。
そのために本建具は、図１と図４（ａ）に示すように、アングル補助材３ａの係止突起３１がアングル２の係止溝３７の外周側の縁に係止した状態のときには、アングル２の差込部３４の先端とアングル支持部２４の横壁２９との間には隙間３８を設けている。これによりアングル２は、図４（ｂ）に示すように、差込部３４の先端がアングル支持部２４の横壁２９に当接するまで、アングル２を外周側にさらに押し込むことができる。このとき、ギザギザ３２ａ，３２ｂ同士が噛み合うことで、アングル２の内外周方向のがたつきを規制できる。
【００１４】
次に、本建具の施工手順を説明する。枠１は、建築現場に搬入する前に室内側面にアングル補助材３ａを両面テープ２６で取付け、アングル補助材３ａのアングル支持部２４にアングル２を予め取付けておく。この状態の枠１を、図５（ａ）に示すように、躯体開口部に室内側から嵌め込む。その後、図５（ｂ）に示すように、枠１の躯体固定片１１を室外側からのネジ１２で躯体５に固定し、アングル補助材３ａの延出部４を内周側からのネジ２８で躯体５に固定する。そうしてアングル補助材３ａの延出部４を躯体５に固定すると、アングル補助材３ａの押さえ部２７が枠１の室内延出部１３の根元部を押さえ込み、室内延出部１３を躯体５にネジ止めしたのと同様に、枠１の室内側が躯体５に固定される。アングル補助材３ａの延出部４がアングル２の室内側縁部２ａよりも室内側に延出していることで、アングル２が取付いたままでネジ２８を打ち込むことができる。延出部４が傾斜していることで、ネジ２８を室内側から室外側に傾けて打ち込めるので、さらにネジ２８が打ち込みやすくなっている。その後、額縁２２の取付けを行い、額縁２２の位置に合わせてアングル２の位置を調整し、アングル２を額縁２２にネジ３５で固定する。
【００１５】
以上に述べたように本建具は、枠１の室内側にアングル補助材３ａを配置し、アングル補助材３ａの内周側端部にアングル２を取付けることで、アングル補助材３ａ及びアングル２を建築現場に搬入する前に枠１に予め取付けておくことができ、しかもアングル補助材３ａは、外周側にアングル２の室内側縁部２ａよりも室内側に延出する延出部４を有し、延出部４を躯体５に固定することで、アングル２が取付いた状態でアングル補助材３ａを躯体５に固定できるので、施工性が良い。
本建具は、アングル補助材３ａが枠１の室内延出部１３を押さえ込んだ状態で躯体５に固定してあることで、枠１の取付強度が向上する。
また本建具は、アングル補助材３ａが枠１の室内延出部１３の根元部を押さえ込んでおり、それより室内側は逃がしてあることで、枠１の室内延出部１３の変形を許容できると共に、アングル補助材３ａを枠１に確実に当接させて枠１の取付け強度を高められる。
さらに本建具は、アングル２の取付位置を内外周方向に調整自在であるため、形材の伸縮等による枠１の開口寸法の僅かな変化を許容して、額縁２２やフロアとの段差を生じさせずにアングル２を取付けできる。
【００１６】
図６，７は、本発明の建具の第２実施形態を示している。本実施形態の建具は、枠１内に外障子３９ａと内障子３９ｂを引違い状に開閉自在に収めた引違い窓であって、床面から１ｍ程度上がった位置の開口部に設けられるいわゆる腰高窓タイプのものである。
本建具は、第１実施形態のものと同様に、枠１の室内側にアングル補助材３ａとアングル２を取付けている。アングル補助材３ａとアングル２は、第１実施形態と兼用である。
【００１７】
図８は、本発明の建具の第３実施形態を示している。本実施形態の建具は、枠１内に外障子３９ａと内障子３９ｂを引違い状に開閉自在に収めた引違い窓であって、床面に接して設けられるいわゆる掃出し窓タイプのものである。
本建具は、第１・第２実施形態と同様に、枠１の室内側にアングル補助材３ａ，３ｂとアングル２を取付けている。上枠８と縦枠１０の室内側に取付けられるアングル補助材３ａ及びアングル２は、第１・第２実施形態と兼用である。下枠９の室内側に取付けられるアングル補助材３ｂは、躯体５から床材４０上面までの寸法Ｂが、躯体５から額縁２２上面までの寸法Ａ（図６参照）よりも長いために、躯体５からアングル支持部２４までの長さ（枠取付部２３の長さ）が、上枠８と縦枠１０のアングル補助材３ａよりも長いものを使用している。アングル２は、上枠８及び縦枠１０のものと兼用である。
【００１８】
図９は、本発明の建具の第４実施形態を示している。本建具は、第３実施形態と同様に、掃出し窓タイプの引違い窓であり、躯体５から床材４０上面までの寸法Ｃが第３実施形態のものよりさらに長くなっている。そのため、下枠９の室内側に取付けられるアングル補助材３ｃは、躯体５からアングル支持部２４までの長さ（枠取付部２３の長さ）が、第３実施形態のものよりさらに長くなっている。
【００１９】
図１０は、上述した第２、第３、第４実施形態の下枠９のアングル部を対比して示すものである。同図より明らかなように、躯体５からアングル支持部２４までの長さの異なる複数種類（図示のものは３種類）のアングル補助材３ａ，３ｂ，３ｃを選択的に用いることで、額縁納まりやフロア納まりといった納まりの違いに柔軟に対応できる。
【００２０】
本発明は以上に述べた実施形態に限定されない。枠、アングル補助材、アングルの材質や断面形状は、適宜変更することができる。アングル補助材の枠への取付け方は任意であり、例えばネジ止めして取付けたり、接着剤で接着して取付けたりすることもできる。本発明の建具は、樹脂サッシに限らず、アルミサッシ、アルミ樹脂複合サッシにも適用することができる。窓種は任意であり、例えば嵌め殺し窓に適用することもできる。
【符号の説明】
【００２１】
１  枠
２  アングル
３ａ，３ｂ，３ｃ  アングル補助材
４  延出部
５  躯体
【図１】
0006450644.tif 000002
【図２】
0006450644.tif 000003
【図３】
0006450644.tif 000004
【図４】
0006450644.tif 000005
【図５】
0006450644.tif 000006
【図６】
0006450644.tif 000007
【図７】
0006450644.tif 000008
【図８】
0006450644.tif 000009
【図９】
0006450644.tif 000010
【図１０】
0006450644.tif 000011